(57)【特許請求の範囲】
【請求項１】
複数の電線を一括してシールする防水コネクタであって、
前記各電線の端末に接続された複数の端子金具を収容するコネクタハウジングと、
このコネクタハウジングの後部に組み込まれ前記電線を一括してシールする一括ゴム栓と、
前記コネクタハウジングの後部外側面に嵌合する嵌合部を有して前記一括ゴム栓の抜け止めを行うホルダーと、
前記ホルダーの後部に配置されて前記電線を覆うカバーとを備え、
前記コネクタハウジングの外面には係止受け部が形成され、
前記ホルダーには、同ホルダーが前記コネクタハウジングに対して正規に装着された状態で前記係止受け部を露出させる開口部が形成されるとともに、前記カバーには露出された前記係止受け部に係止可能なロック部が形成されていることを特徴とする防水コネクタ。
【請求項２】
前記開口部は前記ホルダーが前記コネクタハウジングに対して正規に装着された状態では前記係止受け部全体を露出させて前記ロック部との係止を可能にするが、不完全に装着された状態では前記係止受け部の全体あるいは一部を覆うことで前記ロック部との係止を不能にすることを特徴とする請求項１に記載の防水コネクタ。
【請求項３】
前記ホルダーは、前記一括ゴム栓の後方に離間して位置する仮係止位置と前記一括ゴム栓の後面側にほぼ密着して位置する本係止位置との間を変位可能な状態で前記コネクタハウジングに装着され、
前記ホルダーが前記仮係止位置にあるときには、前記開口部は前記係止受け部と前記ロック部との係止を不能にする位置にあり、
前記ホルダーが前記本係止位置にあるときには、前記開口部は前記係止受け部と前記ロック部との係止を可能にする位置にあることを特徴とする請求項２に記載の防水コネクタ。
【請求項４】
前記ロック部は、前記カバーの装着方向前方へ向けて突出して形成される一方、前記開口部の開口縁には、前記カバーの装着方向に沿って案内縁が形成され、この案内縁は前記カバーの装着時に前記ロック部と摺接することにより、前記カバーの装着動作を案内可能であることを特徴とする請求項１ないし請求項３のいずれかに記載の防水コネクタ。
【請求項５】
前記カバーの装着方向に関して前記カバーと前記ホルダーとの対向面には、前記カバーが前記コネクタハウジングに装着された状態で相互に嵌合し合う位置決め突部あるいは位置決め凹部のうちのいずれか一方が配されていることを特徴とする請求項１ないし請求項４のいずれかに記載の防水コネクタ。
【請求項６】
前記コネクタハウジングの外周面にはシールリングが嵌合して装着され、前記嵌合部の装着方向前端縁には前記ホルダーが前記コネクタハウジングに正規に装着されたときに前記シールリングの装着方向後縁と対向することで、前記シールリングの抜け止めを行う押さえ縁が形成されていることを特徴とする請求項１ないし請求項５のいずれかに記載の防水コネクタ。
【発明の詳細な説明】
【技術分野】
【０００１】
本発明は防水コネクタに関するものである。
【背景技術】
【０００２】
従来、複数の電線を一括してシールする一括ゴム栓をコネクタハウジング内に組み込んでなる防水コネクタが知られている。その一例として下記特許文献１のものが知られている。
【０００３】
ここに開示されたコネクタのハウジングの後部には筒状収容部が形成され、その内部には複数の電線を一括してシールする一括ゴム栓が収容されている。この一括ゴム栓は筒状収容部の外側面に嵌合して装着されたリアホルダにより抜け止めがされていた。
【先行技術文献】
【特許文献】
【０００４】
【特許文献１】特開２００８−２９３７２２号公報（図１）
【発明の概要】
【発明が解決しようとする課題】
【０００５】
ところで、コネクタハウジングから引き出された電線を一定の方向に強制的に向ける必要が生じた場合に、従来から採られてきた手法は、コネクタハウジングに電線カバーを装着し、電線をカバーの内面形状に沿わせて導出させる、というものである。
【０００６】
そのような構造を上記先行技術に適用しようとする場合に、コネクタハウジングの後部には外側からリアホルダーの筒状部分が嵌め込まれているため、電線カバーに対するロック構造はこの筒状部分に設定することが考えられる。
【０００７】
しかし、電線カバーをリアホルダーに装着したのでは、コネクタハウジングに直接装着する場合に比較して保持力が低くなってしまう、ということが懸念される。
【０００８】
本発明は上記のような事情に基づいて完成されたものであって、一括ゴム栓に対するリアホルダーを備えた防水コネクタにおいて、電線カバーの保持力を高めることを目的とする。
【課題を解決するための手段】
【０００９】
上記の目的を達成するための手段として、請求項１の発明は、複数の電線を一括してシールする防水コネクタであって、前記各電線の端末に接続された複数の端子金具を収容するコネクタハウジングと、このコネクタハウジングの後部に組み込まれ前記電線を一括してシールする一括ゴム栓と、前記コネクタハウジングの後部外側面に嵌合する嵌合部を有して前記一括ゴム栓の抜け止めを行うホルダーと、前記ホルダーの後部に配置されて前記電線を覆うカバーとを備え、前記コネクタハウジングの外面には係止受け部が形成され、前記ホルダーには、同ホルダーが前記コネクタハウジングに対して正規に装着された状態で前記係止受け部を露出させる開口部が形成されるとともに、前記カバーには露出された前記係止受け部に係止可能なロック部が形成されているところに特徴を有する。
【００１０】
請求項２の発明は、請求項１に記載のものにおいて、前記開口部は前記ホルダーが前記コネクタハウジングに対して正規に装着された状態では前記係止受け部全体を露出させて前記ロック部との係止を可能にするが、不完全に装着された状態では前記係止受け部の全体あるいは一部を覆うことで前記ロック部との係止を不能にする構成であるところに特徴を有する。
【００１１】
請求項３の発明は、請求項２に記載のものにおいて、前記ホルダーは、前記一括ゴム栓の後方に離間して位置する仮係止位置と前記一括ゴム栓の後面側にほぼ密着して位置する本係止位置との間を変位可能な状態で前記コネクタハウジングに装着され、前記ホルダーが前記仮係止位置にあるときには、前記開口部は前記係止受け部と前記ロック部との係止を不能にする位置にあり、前記ホルダーが前記本係止位置にあるときには、前記開口部は前記係止受け部と前記ロック部との係止を可能にする位置にあるところに特徴を有する。
【００１２】
請求項４の発明は、請求項１ないし請求項３のいずれかに記載のものにおいて、前記ロック部は、前記カバーの装着方向前方へ向けて突出して形成される一方、前記開口部の開口縁には、前記カバーの装着方向に沿って案内縁が形成され、この案内縁は前記カバーの装着時に前記ロック部と摺接することにより、前記カバーの装着動作を案内可能であるところに特徴を有する。
【００１３】
請求項５の発明は、請求項１ないし請求項４のいずれかに記載のものにおいて、前記カバーの装着方向に関して前記カバーと前記ホルダーとの対向面には、前記カバーが前記コネクタハウジングに装着された状態で相互に嵌合し合う位置決め突部あるいは位置決め凹部のうちのいずれか一方が配されているところに特徴を有する。
【００１４】
請求項６の発明は、請求項１ないし請求項５のいずれかに記載のものにおいて、前記コネクタハウジングの外周面にはシールリングが嵌合して装着され、前記嵌合部の装着方向前端縁には前記ホルダーが前記コネクタハウジングに正規に装着されたときに前記シールリングの装着方向後縁と対向することで、前記シールリングの抜け止めを行う押さえ縁が形成されているところに特徴を有する。
【発明の効果】
【００１５】
請求項１の発明によれば、カバーのロック部が開口部を通してコネクタハウジングの係止受け部に係止することができ、これによってカバーをコネクタハウジングに対して直接係止させることができる。したがって、カバーをホルダーに取り付ける場合に比較して高い保持力をもって装着することができる。
【００１６】
請求項２の発明によれば、ホルダーがコネクタハウジングに対して正規に装着されていないとカバーのロック部を係止受け部に係止させることができない。したがって、カバーの装着の可否をもってホルダーの正規装着の有無を確認することができる。
【００１７】
請求項３の発明によれば、ホルダーが仮係止位置にあるときに誤ってカバーを装着しようとしても、ロック部と係止受け部とを係止させることができず、ホルダーを本係止位置に至らしめて初めてロック部と係止受け部との係止が可能となる。
【００１８】
請求項４の発明によれば、カバーを装着するときには、ロック部がホルダーの開口縁に形成された案内縁に沿って案内されるため、カバーの装着を円滑に行うことができる。
【００１９】
請求項５の発明によれば、カバーがコネクタハウジングに装着されると、カバーとホルダーとは位置決め突部と位置決め凹部とが相互に嵌合し合う。これによって、カバーがホルダーに対して装着方向と交差する方向へ位置ずれする事態を規制することができる。
【００２０】
請求項６の発明によれば、ホルダーは、一括ゴム栓とシールリングとを共に抜け止めすることができる。
【図面の簡単な説明】
【００２１】
【図１】コネクタハウジングの後面図
【図２】同じく平面図
【図３】同じく側面図
【図４】ホルダーの平面図
【図５】同じく正面図
【図６】同じく側面図
【図７】同じく後面図
【図８】カバーの正面図
【図９】同じく平面図
【図１０】同じく側面図
【図１１】コネクタハウジングにホルダーを仮係止位置に保持させた状態での平面図
【図１２】同じく側面図
【図１３】同じく図１１におけるＡ−Ａ線に対応する断面図
【図１４】コネクタハウジングにホルダーを本係止位置に保持させた状態での平面図
【図１５】同じく側面図
【図１６】同じく図１１におけるＡ−Ａ線に対応する断面図
【図１７】カバーを装着させた状態での一部破断側面図
【図１８】図１７におけるＢ−Ｂ線断面図
【図１９】ホルダーの不完全装着状態を示す側面図
【発明を実施するための形態】
【００２２】
＜実施形態１＞
本実施形態に係る防水コネクタは、複数の端子金具１を収容するコネクタハウジング２を有する。まず、コネクタハウジング２について説明する（図１ないし図３及び図１３参照）。
【００２３】
＜コネクタハウジング２＞
コネクタハウジング２は合成樹脂製であり、図１３に示すように、前部（図示右側部分）には端子収容部３とこの端子収容部３を取り囲むようにして設けられた角筒状のフード部４とが形成されている。端子収容部３には複数のキャビティ５が前後方向に沿って形成されている。雄端子金具１は各キャビティ５内においてランス６にて抜け止めされた状態で収容され、フード部４内に突出した状態で並列に配置されている。端子収容部３とフード部４との間は図示しない雌コネクタハウジングが嵌合する嵌合空間７となっている。
【００２４】
コネクタハウジング１の外面で前後方向のほぼ中央部には防水コネクタ全体をパネルＰへ装着するためのフランジ８が張り出し形成されている。装着用フランジ８の対角位置にはパネルＰ（図１１参照）へボルト締めを行うためのボルト差し込み孔９が形成されている。
【００２５】
コネクタハウジング２におけるフランジ８の後面側は後方へ開口する角筒状の装着部１０が設けられている。装着部１０の外面であってフランジ８の付け根部には段部１１が形成されている。図１１に示すように、装着部１０にはこの段部１１に押し当てられるようにしてシールリング１２が嵌め付けられている。シールリング１２は防水コネクタがパネルＰへ取り付けられたときに、パネルＰに形成されたコネクタ装着孔１３の孔壁に密着してこの間におけるシールを行う。
【００２６】
図１３に示すように、装着部１０の内部にはゴム栓収容部１４が形成されている。一括ゴム栓１５はこのゴム栓収容部１４に対し後方から挿入され、奥壁に突き当てられた状態で収容されている。一括ゴム栓１５の外周面にはゴム栓収容部１４の周面に密着するアウターリップ１６が形成されている。一括ゴム栓１５には各キャビティ５とほぼ同軸で整合する複数の挿通孔１７が前後方向に沿って貫通して形成されている。各挿通孔１７内には各端子金具１に接続された電線Ｗの外周面に密着するインナーリップ１８が形成されている。
【００２７】
図１，２に示すように、装着部１０の上下両面であって略対角位置には有底の切欠き部１９が切欠き形成されている。両切欠き部１９は平面視で略方形状をなすようにして切り欠かれ、後端側を開放させている。両切欠き部１９内の底面にはホルダー２０に対する本係止用突起２２と仮係止用突起２１が前後に並んで突出形成されている。後側に配置された仮係止用突起２１は装着部１０の後端からさらに後方へ突出するようにして形成されている。本係止用突起２２と仮係止用突起２１はいずれも前部側の片側のコーナ部が欠けてかぎ型形状に形成されている。対角位置にあるこれら係止突起のペアは、図２に示すように、上記したかぎ型形状の向きが同じ向きとなっている。これは後に改めて説明するが、ホルダー２０が上下反転して装着された場合に、ホルダー２０側の係止形状と適合できずに係止不能とすることで作業者に誤組み付けを知らしめるためである。
【００２８】
図１、図２および図１３に示すように、上記した上下の仮係止用および本係止用突起２１，２２を関係付ける対角線とは別のもう一つの対角線上の上部側には、装着部１０の後端面から突出するようにしてガイド溝２３の導入部２４が配されている。このガイド溝２３は、ホルダー２０が仮係止位置と本係止位置との間で移動動作をするときの案内の役割を果たす。ガイド溝２３は装着部１０の前後方向に沿って延出し、後方および下方へ開放してゴム栓収容部１４へ連通している。また、ガイド溝２３の導入部２４に対する対角位置にはガイド溝２３を有さない突部２５が装着部１０の後端面から突出した状態で形成されている。
なお、装着部１０内の奥壁であってキャビティを避けた位置には、図１に示すような左右一対の受け孔２６が配されている。これら受け孔２６は前後方向に沿ってフード部４内へ貫通するようにして形成されている。
【００２９】
図３に示すように、装着部１０の両外側面には後述するカバー２７を係止させるための係止受け部２８がそれぞれ上下一対ずつ配されている。両係止受け部２８は高さ方向に沿って所定長さを有するスリット状に形成されている。図２に示すように、係止受け部２８は装着部１０の上面あるいは下面側へ型抜きされる成形型（図示しない）によって形成され、その全長のうち装着部１０のＲ部（コーナ部）に近い側のほぼ半分の領域は有底であるが、先端側のほぼ半分の領域はゴム栓収容部１４内へ貫通して形成されている。各係止受け部２８の先端側（貫通領域側）には前後方向の幅寸法が小さくなった幅狭部２９が形成されている。また、各係止受け部２８の開口縁のうち後縁側は、図１８に示すように、内部側へ向けて拡開するようなテーパ面が形成され、このテーパ面のうち係止受け部２８の貫通領域と非貫通領域とに跨る部分には後述するロック爪５７と係止する係止面５８が形成されている。
【００３０】
＜押さえ部材３０＞
図１３に示すように、装着部１０内にはホルダー２０が仮係止位置にあるときに一括ゴム栓１５が後方へずれないようにするための押さえ部材３０が組み込まれている。押さえ部材３０は平板状をなし、詳細には図示しないが、一括ゴム栓１５に密着した状態で全ての挿通孔１７を露出させるような格子状に形成されている。同図に示すように、押さえ部材３０の後面には格子を構成する枠の縁部に沿って補強用のリブ３２が突出している。
【００３１】
図１３に示すように、押さえ部材３０の上縁の一端寄りには、押さえ部材３０が上下反転した姿勢で組み付けられるのを規制するための誤組み付け規制用の突片３３が突出している。この突片３３は押さえ部材３０の組み込み時において、コネクタハウジング２のガイド溝２３に差し込まれて反転姿勢での組み込みを規制するとともに、組み込み操作の案内も行う。押さえ部材３０の左右両側縁には抜け止め用の係止爪３４が片側に二つずつ側方へ突出して設けられ、それぞれは係止受け部２８の幅狭部２９に係止可能である。
【００３２】
＜ホルダー２０＞
次に、ホルダー２０について説明する（主として、図４乃至図７参照）。ホルダー２０は合成樹脂製であり、装着部１０のゴム栓収容部１４へ嵌合するホルダー本体３５を有している。ホルダー本体３５は図１６に示す本係止位置にあるときに押さえ部材３０の後面にほぼ密着して位置し、押さえ部材３０と共に一括ゴム栓１５の抜け止めの役割を果たす。このホルダー本体３５には各キャビティ５等と整合可能な端子挿通孔３６が複数形成されている。ホルダー本体３５の前面にはコネクタハウジング２に対するホルダー２０の装着姿勢を保持するための左右一対の位置決め軸部３７が前方へ向けて突出している。この位置決め軸部３７は押さえ部材３０及び一括ゴム栓１５を共に貫通してコネクタハウジング２の受け孔２６へと差し込まれるようになっている。
【００３３】
図５に示すように、ホルダー２０はホルダー本体３５を取り囲むようにして周壁３８が設けられ、周壁３８とホルダー本体３５とは後面壁４１によって連結されている。周壁３８は本願発明の嵌合部を構成し、その内側に装着部１０を嵌め入れることができる。図１４，１５に示すように、周壁３８は、ホルダー２０が本係止位置にあるときに、その先端がシールリング１２の後端面に対向するように形成されている。このことにより、周壁３８の先端はシールリング１２に対する押さえ縁３９となる。また、周壁３８において、前記した仮係止用突起２１および本係止用突起２２が配される対角位置と対応する対角位置には切欠き溝４０が配されている。両切欠き溝４０は周壁３８の前端から奥壁に至るまでの間、一定幅をもって形成されている。
【００３４】
図５、図７に示すように、後面壁４１には切欠き溝４０に連通して幅狭の縦溝４２が形成され、ホルダー本体３５の外面に至る深さをもって形成されている。また、周壁３８とホルダー本体３５との間の高さ位置には縦溝４２を跨ぐようにして係止アーム４３の端部が連結されている。図４に示すように、係止アーム４３は平面視で略Ｕ字形状に形成され、その先端はホルダー本体３５から突出するが、周壁３８の前端から僅かに引っ込んだ位置にある。係止アーム４３は高さ方向への撓み変形が可能に形成され、同係止アーム４３の内側先端部には係止段部４４が形成されている。係止段部４４は、コネクタハウジング２の仮係止用突起２１および本係止用突起２２のかぎ形状に共に適合できるように形成されている。図１１に示すように、係止段部４４が仮係止用突起２１に適合して係止した状態（仮係止位置における状態）では、係止アーム４３の先端面が本係止用突起２２の後端面に当接するため、ホルダー２０は後方への抜け止めと共に前方への移動も併せて規制される。また、図１４に示すように、係止段部４４が本係止用突起２２に適合した状態（本係止位置における状態）では、係止アーム４３の内側に仮係止用突起２１も嵌り込むようになっている。
【００３５】
図５，７に示すように、ホルダー本体３５の外面であってコネクタハウジング２のガイド溝２３に対応する位置には突条４５が設けられている。突条４５は図１３に示すように、ホルダー本体３５の全長に亘って形成されている。ホルダー２０が仮係止位置にあるときには、突条４５は先端の一部がガイド溝２３の導入部２４の入り口手前に位置し、本係止位置に至るまでの間は、突条４５はガイド溝２３に嵌り合いながら前進する。また、後面壁４１において突条４５の後端面周りには逃がし窓３１が開口している。逃がし窓３１はホルダー２０が本係止位置にあるときにガイド溝２３の導入部２４が嵌合する。これにより、後面壁４１の後面と導入部２４の後端面とはほぼ面一状態となる（図１６参照）。
【００３６】
後面壁４１における突条４５と対角位置には係止窓６０が開口している。ホルダー２０が本係止位置にあるときに、係止窓６０はコネクタハウジング２の突部２５と嵌合可能であり、嵌合状態では後面壁４１と突部２５の後端面とはほぼ面一となる。
【００３７】
図６に示すように、周壁３８における左右両側面にはコネクタハウジング２の各係止受け部２８に対応して上下一対の開口部４６が貫通して形成されている。各開口部４６は後面壁４１側に開放するようにして形成され、全体として方形状をなしている。図１２に示すように、ホルダー２０が仮係止位置にあるときには、開口部４６はコネクタハウジング２の係止受け部２８の後方にあって側面視において重複範囲を持たないが、図１５に示すように、ホルダー２０が本係止位置にあるときには上下の両係止受け部２８に対し幅狭部２９より上部あるいは下部側と連通（重複）する。すなわち、ホルダー２０が本係止位置にあるときには上下の両係止受け部２８のうちの所定高さ範囲は前後方向のほぼ全幅に亘って露出する。
【００３８】
図５に示すように、ホルダー本体３５の前面には、ホルダー２０が押さえ部材３０に密着したときに押さえ部材３０の各補強用リブ３２との干渉を回避するための逃がし溝４７が凹み形成されている。一方、図７等に示すように、後面壁４１の後面であって端子挿通孔３６の形成領域の外側には一対の縦リブ４８が突出して形成されている。
【００３９】
図７に示すように、後面壁４１の四隅には位置決め凹部４９が凹み形成されている。各位置決め凹部４９は略９０度の扇形状をなして開口し、図１７に示すように、カバー２７側の対応する位置決め突部５０が差し込まれることによってカバー２７が装着方向と直交する方向へ位置ずれしないようにしている。
【００４０】
＜カバー２７＞
次に、ホルダー２０の後部側に装着されるカバー２７について説明する（図８乃至図１０参照）。カバー２７も合成樹脂製であり、カバー２７は底板５１、左右一対の側板５２および背板５３とを有し、上面側は電線Ｗの引き出し口５９として開放されている。底板５１および両側板５２の前端縁はほぼ面一をなすように形成され、装着時にはホルダー２０の後面壁４１における周縁部に突き当てられる（図１７参照）。
【００４１】
また、カバー２７の前面側における四隅部にはホルダー２０側の各位置決め凹部４９に対応して位置決め突部５０が配置されている。各位置決め突部５０はそれぞれ前方へ向けて突出し、カバー２７が正規に装着されたときにはホルダー２０の各位置決め凹部４９に対し適合した状態で差し込み可能である。
【００４２】
図１０に示すように、左右の両側板５２にはロックアーム５５（ロック部）が片側上下一対ずつ配されている。各ロックアーム５５は側板５２から前方へ突出するようにして形成され、それぞれの外面の上下両縁には背板５３に至るまでの全長さ範囲に亘り、補強用突縁５４が外方に向けて突出している。但し、図９に示すように、補強用突縁５４のうちロックアーム５５が側板５２から突出する範囲では先端に向かうにつれて徐々に突出高さが減じられるようにしてあり、このことによって、ロックアーム５５は側板５２から突出する部分では外方への撓みが許容されている。
【００４３】
各ロックアーム５５の高さ方向の幅寸法は、ホルダー２０の対応する開口部４６の高さ方向の幅寸法とほぼ等しく設定されていて、カバー２７の装着時にロックアーム５５の変位を案内する。すなわち、ホルダー２０の開口部４６の開口縁のうち上下縁はロックアーム５５に対する案内縁５６としての役割を果たす。
【００４４】
また、各ロックアーム５５における先端には内向きにロック爪５７が突出して形成されている。そして、カバー２７が正規の装着位置（図１７参照）に至ると、各ロック爪５７は開口部４６を通して露出されている係止受け部２８の開口縁にそれぞれ係止可能である。図１８に示すように、ロック爪５７の付け根部分における前後方向の幅寸法は係止受け部２８の前後方向の開口幅より僅かに短く設定されている。したがって、ホルダー２０が本係止位置に正しく至っていない場合には、開口部４６が係止受け部２８の全幅（前後幅）を露出させることができないため、ロック爪５７が係止受け部２８に係止し得ないことになる。
【００４５】
次に、上記のように構成された本実施形態の作用効果を具体的に説明する。本実施形態の防水コネクタを組み立てるには、まず図１３に示すように、ホルダー２０が仮係止位置にある状態で、後方から端子金具１の挿入を行う。各端子金具１はホルダー２０の各端子挿通孔３６へ差し込まれ、さらに押さえ部材３０、および一括ゴム栓１５の挿通孔１７を経てキャビティ５内へと差し込まれる。端子金具１がキャビティ５内の正規位置に至ればランス６と係止して抜け止めされた状態で収容される。
【００４６】
こうして全ての端子金具１の差し込みが完了すれば、係止アーム４３と仮係止用突起２１との係止を解除してホルダー２０全体を押し込んで本係止位置へと移動させる。本係止位置では係止アーム４３が本係止用突起２２に係止することで、ホルダー２０の抜け止めがなされる。また、ホルダー２０が本係止位置に至った状態では、押さえ部材３０の各リブ３２がホルダー本体３５の逃がし溝４７に嵌り合うことで、ホルダー本体３５の前面が押さえ部材３０に対してほぼ密着した状態となる。これと同時に、周壁３８の先端の押さえ縁３９がシールリング１２にほぼ突き当てられるため、シールリング１２の抜け止めもなされている。一方、ホルダー２０が本係止位置にあるときには、ホルダー２０の開口部４６を通して対応する係止受け部２８が前後方向の全幅が露出されている。
【００４７】
カバー２７の装着作業を行う場合には、カバー２７をホルダー２０の後方に位置させ、各ロック爪５７を対応する開口部４６の入り口部分から進入させる。その際には、ホルダー２０から引き出されている電線Ｗを束ねつつ上方へ屈曲させカバー２７の電線引き出し口５９から外部へと引き出しておく。カバー２７をさらに前進させると、ロックアーム５５は開口部４６の案内縁５６による案内を受けて装着姿勢が水平に保持される。そして、カバー２７の底板５１および側板５２の前縁がホルダー２０の後面壁４１に突き当たる位置にまで至ると、図１８に示すように、各ロック爪５７が開口部４６を通して露出された係止受け部２８の開口縁に係止する。
【００４８】
こうして組み立てられた防水コネクタによれば、カバー２７はホルダー２０に対して係止するのではなく、ホルダー２０の開口部４６を通してコネクタハウジング２に直接係止するようにしたため、ホルダー２０に係止する場合に比較して高い保持力を得ることができる。また、カバー２７が正規に装着された状態では、カバー２７の各位置決め突部５０がホルダー２０側の対応する位置決め凹部４９にそれぞれ差し込まれることで、カバー２７は装着方向と直交する方向への位置ずれも規制されているから、このことによっても、カバー２７の保持力アップが図られている。
【００４９】
また、図１９に示すように、ホルダー２０が、万一、本係止位置に至る途中で留まってしまうような不完全な装着状態では、係止受け部２８がホルダー２０によって全部あるいは一部が覆われている。したがって、この状態でカバー２７を装着しようとしても、ロック爪５７が係止受け部２８へと係止することができず、撓んだままの状態となってしまう。作業者はこのようにカバー２７にロックを掛けられないことをもってホルダー２０が不完全な装着状態にあることを知ることができる。
【００５０】
さらに、ホルダー２０が仮係止位置にあるときに、カバー２７を装着しようとした場合には、図１２に示すように、係止受け部２８自体は露出されているものの、カバー２７の装着時にカバー２７はホルダー２０の後面壁４１に突き当たってこれ以上に前進させ得ないため、ロック爪５７は係止受け部２８にまで届かない。したがって、上記と同様、ロック爪５７と係止受け部２８との係止が不能であるため、作業者はこのことをもってホルダー２０が正規の装着状況にないことを知ることができる。
【００５１】
さらにまた、本実施形態では一括ゴム栓１５とシールリング１２はホルダー２０によって共に抜け止めされるようにしたため、その分、部品点数の削減を図ることができる、という効果も得られる。
【００５２】
＜他の実施形態＞
本発明は上記記述及び図面によって説明した実施形態に限定されるものではなく、例えば次のような実施形態も本発明の技術的範囲に含まれる。
（１）上記実施形態ではパネルＰに装着される形式の防水コネクタを例示したが、本発明の適用対象はパネル取り付け型の防水コネクタに限らない。
（２）（１）に関連して、本発明の防水コネクタは必ずしもシールリング１２を備える必要はない。
（３）上記実施形態では、ホルダー２０はコネクタハウジング２に対して仮係止位置と本係止位置との二位置で保持されるようしたが、仮係止位置を持たない設定であってもよい。
【００５３】
（４）上記実施形態では、係止受け部２８をカバー２７に対するロックと押さえ部材３０に対するロックを兼用させて構成を集約化するようにしたが、別途に設けるようにしてもよい。
【符号の説明】
【００５４】
２…コネクタハウジング
１２…シールリング
１５…一括ゴム栓
２０…ホルダー
２１…仮係止用突起
２２…本係止用突起
２７…カバー
２８…係止受け部
３８…周壁（嵌合部）
３９…押さえ縁
４６…開口部
４９…位置決め凹部
５０…位置決め突部
５５…ロックアーム（ロック部）
５６…案内縁
【図１】
0005672166.tif 000002
【図２】
0005672166.tif 000003
【図３】
0005672166.tif 000004
【図４】
0005672166.tif 000005
【図５】
0005672166.tif 000006
【図６】
0005672166.tif 000007
【図７】
0005672166.tif 000008
【図８】
0005672166.tif 000009
【図９】
0005672166.tif 000010
【図１０】
0005672166.tif 000011
【図１１】
0005672166.tif 000012
【図１２】
0005672166.tif 000013
【図１３】
0005672166.tif 000014
【図１４】
0005672166.tif 000015
【図１５】
0005672166.tif 000016
【図１６】
0005672166.tif 000017
【図１７】
0005672166.tif 000018
【図１８】
0005672166.tif 000019
【図１９】
0005672166.tif 000020